(57)【要約】【課題】非ディスク記録媒体に対し、簡単にデータを分類して記録する。【解決手段】データを記録媒体２に記録するデータ記録再生装置１において、記録媒体２に記録するデータの種別を指定する指定情報を記録媒体２内に書き込む指定情報書込部６と、記録対象となるデータの種別を識別するデータ種別識別部７と、指定情報がデータ種別識別部７によって識別されたデータの種別と合致するか否かを確認するデータ種別確認部８と、このデータ種別確認部８により指定情報がデータ種別識別部７によって識別されたデータの種別と合致することが確認されたときに記録媒体２にデータを記録するデータ記録部９と、を備える。【選択図】図２
2009301617.tif 000002
【特許請求の範囲】
【請求項１】
再生可能なデータを記録媒体に記録するデータ記録再生装置において、
上記記録媒体に記録するデータの種別を指定する指定情報を上記記録媒体内に書き込む指定情報書込手段と、
記録対象となるデータの種別を識別するデータ種別識別手段と、
上記指定情報が上記データ種別識別手段によって識別されたデータの種別と合致するか否かを確認するデータ種別確認手段と、
このデータ種別確認手段により上記指定情報が上記データ種別識別手段によって識別されたデータの種別と合致することが確認されたときに上記記録媒体に上記データを記録するデータ記録手段と、
を備えることを特徴とするデータ記録再生装置。
【請求項２】
再生可能なデータを記録媒体に記録するデータ記録再生装置において、
複数の記録媒体に対し、データを記録する手段を備え、
複数の上記記録媒体にそれぞれ記録するデータの種別をそれぞれ指定する指定情報を複数の上記記録媒体内にそれぞれ書き込む指定情報書込手段と、
記録対象となるデータの種別を識別するデータ種別識別手段と、
上記指定情報がそれぞれ書き込まれた複数の記録媒体に対し、記録対象となるデータの種別がいずれの記録媒体の上記指定情報と合致するかを検索する記録媒体検索手段と、
この記録媒体検索手段により検索された記録媒体に対し、当該記録媒体が有する上記指定情報と種別が合致するデータの記録を行うデータ記録手段と、
を備えることを特徴とするデータ記録再生装置。
【請求項３】
再生可能なデータを記録媒体に記録するデータ記録再生装置において、
上記記録媒体に記録されたデータの種別を示す指定情報を読み取る制御部を有し、
上記制御部は、上記データを上記記録媒体に記録する際に、上記指定情報に合致したデータを、他のデータ源から当該記録媒体に記録する、
ことを特徴とするデータ記録再生装置。
【請求項４】
前記指定情報は、データが有するメタデータに基づき指定される情報である請求項２または３記載のデータ記録再生装置。
【請求項５】
前記指定情報は、データの転送元であるメディア種別に基づき指定される情報である請求項２または３記載のデータ記録再生装置。
【請求項６】
再生可能なデータを記録媒体に記録するデータ記録方法において、
データの記録に先立って、上記記録媒体に記録するデータの種別を指定する指定情報を上記記録媒体内に書き込む指定情報書込ステップと、
データの記録に際し、記録対象となるデータの種別を識別するデータ種別識別ステップと、
上記指定情報が上記データ種別識別ステップによって識別されたデータの種別と合致するか否かを確認するデータ種別確認ステップと、
このデータ種別確認ステップにより上記指定情報が上記データ種別識別ステップによって識別されたデータの種別と合致することが確認されたときに上記記録媒体に上記データを記録するデータ記録ステップと、
を有することを特徴とするデータ記録方法。
【請求項７】
再生可能なデータを記録媒体に記録するデータ記録方法において、
複数の記録媒体に対し、データを記録するステップを有し、
データの記録に先立って、複数の上記記録媒体にそれぞれ記録するデータの種別をそれぞれ指定する指定情報を複数の上記記録媒体内にそれぞれ書き込む指定情報書込ステップと、
データの記録に際し、記録対象となるデータの種別を識別するデータ種別識別ステップと、
上記指定情報がそれぞれ書き込まれた複数の記録媒体に対し、記録対象となるデータの種別がいずれの記録媒体の上記指定情報と合致するかを検索する記録媒体検索ステップと、
この記録媒体検索ステップにより検索された記録媒体に対し、当該記録媒体が有する上記指定情報と種別が合致するデータの記録を行うデータ記録ステップと、
を有することを特徴とするデータ記録方法。
【請求項８】
情報処理装置にインストールすることにより、その情報処理装置に、データを記録媒体に記録し再生するデータ記録再生装置としての機能を実現するプログラムにおいて、
上記記録媒体に記録するデータの種別を指定する指定情報を上記記録媒体内に書き込む指定情報書込機能と、
記録対象となるデータの種別を識別するデータ種別識別機能と、
上記指定情報が上記データ種別識別機能によって識別されたデータの種別と合致するか否かを確認するデータ種別確認機能と、
このデータ種別確認機能により上記指定情報が上記データ種別識別機能によって識別されたデータの種別と合致することが確認されたときに上記記録媒体に上記データを記録するデータ記録機能と、
を実現することを特徴とするプログラム。
【請求項９】
情報処理装置にインストールすることにより、その情報処理装置に、データを記録媒体に記録し再生するデータ記録再生装置としての機能を実現するプログラムにおいて、
複数の記録媒体に対し、データを記録する機能を実現し、
複数の上記記録媒体にそれぞれ記録するデータの種別をそれぞれ指定する指定情報を複数の上記記録媒体内にそれぞれ書き込む指定情報書込機能と、
記録対象となるデータの種別を識別するデータ種別識別機能と、
上記指定情報がそれぞれ書き込まれた複数の記録媒体に対し、記録対象となるデータの種別がいずれの記録媒体の上記指定情報と合致するかを検索する記録媒体検索機能と、
この記録媒体検索機能により検索された記録媒体に対し、当該記録媒体が有する上記指定情報と種別が合致するデータの記録を行うデータ記録機能と、
を実現することを特徴とするプログラム。
【発明の詳細な説明】
【技術分野】
【０００１】
本発明は、データ記録再生装置およびデータ記録方法ならびにプログラムに関する。
【背景技術】
【０００２】
ＣＤ(Compact Disk)などのディスク状の記録媒体に楽曲等のデータを記録する装置に代わり、昨今では、フラッシュメモリの大容量化によりＳＤメモリカード(Secure Digital memory card)のようなカード状の大容量記録媒体を用いて楽曲等のデータを記録する装置が普及している。例えば、特許文献１には、ディスク状の記録媒体とカード状の記録媒体の双方を再生可能な装置が開示されている。また、カード状の記録媒体の他にもＵＳＢ(Universal serial bus)ポートに着脱自在のＵＳＢメモリなどと呼ばれる記録媒体などのリムーバブルな記録媒体が普及している。以下では、これらの記録媒体を非ディスク記録媒体と呼ぶこととする。
【０００３】
このような非ディスク記録媒体は、ＣＤなどのディスク状の記録媒体に比べると、きわめてコンパクトである。従って、ディスク状の記録媒体と比べて非ディスク記録媒体は、手軽に多数のデータを持ち運ぶことができる利便性がある。また、ディスク状の記録媒体から情報を読み取る装置では、ディスクを回転させたり、ピックアップを移動させるなど、機械的駆動部分を多く含む。これに対し、非ディスク記録媒体から情報を読み取る装置では、機械的駆動部分を含まない。従って、装置自体が持ち運びの際の振動や衝撃に強いと共に、振動や衝撃によってデータの読み取りに支障が生じることがない。このような利点のため、非ディスク記録媒体を使用する記録再生装置が急速に普及している。
【０００４】
【特許文献１】特開２００３−３２３７６６号公報
【発明の開示】
【発明が解決しようとする課題】
【０００５】
楽曲等のデータを記録媒体に記録する際には、記録媒体毎に記録内容を分類したいと考えるのが一般的である。このため、ＣＤなどのディスク状の記録媒体では、ディスク表面にタイトルやジャンル等を印刷や筆記などにより明記できるようになっている。これにより、ユーザは、目視によって記録媒体の記録内容を確認することができる。
【０００６】
これに対し、非ディスク記録媒体では、そのサイズがあまりにもコンパクトであるため、記録媒体の表面にタイトルやジャンル等を明記できるスペースをほとんど有していない。また、非ディスク記録媒体は、逐次内容を書き換えて用いることが多い。このような非ディスク記録媒体は、記録再生装置側において非ディスク記録媒体に記録したい記録内容を予め分類しておき、その分類内容に適合した非ディスク記録媒体に記録する必要がある。ユーザにとって、このような分類作業は、きわめて煩わしい作業である。
【０００７】
本発明は、このような背景の下に行われたものであって、非ディスク記録媒体に対し、簡単にデータを分類して記録することができるデータ記録再生装置およびデータ記録方法ならびにプログラムを提供することを目的とする。
【課題を解決するための手段】
【０００８】
本発明のデータ記録再生装置は、再生可能なデータを記録媒体に記録するデータ記録再生装置において、記録媒体に記録するデータの種別を指定する指定情報を記録媒体内に書き込む指定情報書込手段と、記録対象となるデータの種別を識別するデータ種別識別手段と、指定情報がデータ種別識別手段によって識別されたデータの種別と合致するか否かを確認するデータ種別確認手段と、このデータ種別確認手段により指定情報がデータ種別識別手段によって識別されたデータの種別と合致することが確認されたときに記録媒体にデータを記録するデータ記録手段と、を備えることを特徴とする。
【０００９】
あるいは、本発明のデータ記録再生装置は、再生可能なデータを記録媒体に記録するデータ記録再生装置において、複数の記録媒体に対し、データを記録する手段を備え、複数の記録媒体にそれぞれ記録するデータの種別をそれぞれ指定する指定情報を複数の記録媒体内にそれぞれ書き込む指定情報書込手段と、記録対象となるデータの種別を識別するデータ種別識別手段と、指定情報がそれぞれ書き込まれた複数の記録媒体に対し、記録対象となるデータの種別がいずれの記録媒体の指定情報と合致するかを検索する記録媒体検索手段と、この記録媒体検索手段により検索された記録媒体に対し、当該記録媒体が有する指定情報と種別が合致するデータの記録を行うデータ記録手段と、を備えることを特徴とする。
【００１０】
すなわち、本発明のデータ記録再生装置は、再生可能なデータを記録媒体に記録するデータ記録再生装置において、記録媒体に記録されたデータの種別を示す指定情報を読み取る制御部を有し、制御部は、データを記録媒体に記録する際に、指定情報に合致したデータを、他のデータ源から当該記録媒体に記録する、ことを特徴とする。
【００１１】
これらの指定情報は、例えば、データが有するメタデータに基づき指定される情報とするのが好ましい。あるいは、指定情報は、データの転送元であるメディア種別に基づき指定される情報とするのが好ましい。
【００１２】
また、本発明をデータ記録方法としての観点から観ることもできる。すなわち、本発明のデータ記録方法は、再生可能なデータを記録媒体に記録するデータ記録方法において、データの記録に先立って、記録媒体に記録するデータの種別を指定する指定情報を記録媒体内に書き込む指定情報書込ステップと、データの記録に際し、記録対象となるデータの種別を識別するデータ種別識別ステップと、指定情報がデータ種別識別ステップによって識別されたデータの種別と合致するか否かを確認するデータ種別確認ステップと、このデータ種別確認ステップにより指定情報がデータ種別識別ステップによって識別されたデータの種別と合致することが確認されたときに記録媒体にデータを記録するデータ記録ステップと、を有することを特徴とする。
【００１３】
あるいは、本発明のデータ記録方法は、再生可能なデータを記録媒体に記録するデータ記録方法において、複数の記録媒体に対し、データを記録するステップを有し、データの記録に先立って、複数の記録媒体にそれぞれ記録するデータの種別をそれぞれ指定する指定情報を複数の記録媒体内にそれぞれ書き込む指定情報書込ステップと、データの記録に際し、記録対象となるデータの種別を識別するデータ種別識別ステップと、指定情報がそれぞれ書き込まれた複数の記録媒体に対し、記録対象となるデータの種別がいずれの記録媒体の指定情報と合致するかを検索する記録媒体検索ステップと、この記録媒体検索ステップにより検索された記録媒体に対し、当該記録媒体が有する指定情報と種別が合致するデータの記録を行うデータ記録ステップと、を有することを特徴とする。
【００１４】
また、本発明をプログラムとしての観点から観ることもできる。すなわち、本発明のプログラムは、情報処理装置にインストールすることにより、その情報処理装置に、データを記録媒体に記録し再生するデータ記録再生装置としての機能を実現するプログラムにおいて、記録媒体に記録するデータの種別を指定する指定情報を記録媒体内に書き込む指定情報書込機能と、記録対象となるデータの種別を識別するデータ種別識別機能と、指定情報がデータ種別識別機能によって識別されたデータの種別と合致するか否かを確認するデータ種別確認機能と、このデータ種別確認機能により指定情報がデータ種別識別機能によって識別されたデータの種別と合致することが確認されたときに記録媒体にデータを記録するデータ記録機能と、を実現することを特徴とする。
【００１５】
あるいは、本発明のプログラムは、情報処理装置にインストールすることにより、その情報処理装置に、データを記録媒体に記録し再生するデータ記録再生装置としての機能を実現するプログラムにおいて、複数の記録媒体に対し、並行してデータを記録する機能を実現し、複数の記録媒体にそれぞれ記録するデータの種別をそれぞれ指定する指定情報を複数の記録媒体内にそれぞれ書き込む指定情報書込機能と、記録対象となるデータの種別を識別するデータ種別識別機能と、指定情報がそれぞれ書き込まれた複数の記録媒体に対し、記録対象となるデータの種別がいずれの記録媒体の指定情報と合致するかを検索する記録媒体検索機能と、この記録媒体検索機能により検索された記録媒体に対し、当該記録媒体が有する指定情報と種別が合致するデータの記録を行うデータ記録機能と、を実現することを特徴とする。
【発明の効果】
【００１６】
本発明によれば、非ディスク記録媒体に対し、簡単にデータを分類して記録することができる。
【発明を実施するための最良の形態】
【００１７】
（第一の実施の形態）
本発明の第一の実施の形態に係るデータ記録再生装置１を図１から図４を参照して説明する。図１は、データ記録再生装置１の外観図である。図２は、データ記録再生装置１のブロック構成図である。以下では、非ディスク記録媒体としてカード状の記録媒体２を例示する。また、データ記録再生装置１は、楽曲データを記録し再生する装置として説明する。なお、楽曲データの再生の詳細については、説明を省略する。
【００１８】
図１に示すように、データ記録再生装置１は、記録媒体２を挿入する挿入口３を１つ有する。また、データ記録再生装置１の筐体には、表示部４および操作部５を有する。図２に示すように、データを記録媒体２に記録するデータ記録再生装置１は、記録媒体２に記録するデータの種別を指定する指定情報を記録媒体２内に書き込む指定情報書込手段である指定情報書込部６と、記録対象となるデータの種別を識別するデータ種別識別手段であるデータ種別識別部７と、指定情報がデータ種別識別部７によって識別されたデータの種別と合致するか否かを確認するデータ種別確認手段であるデータ種別確認部８と、データ記録部９とを有する。このデータ記録部９は、指定情報がデータ種別識別部７によって識別されたデータの種別と合致することがデータ種別確認部８によって確認されたときに記録媒体２にデータを記録するデータ記録手段となる。
ここで、指定情報書込部６、データ種別識別部７、データ種別確認部８、データ記録部９の全部または一部は、ＣＰＵ(Central Processing Unit)にインストールされるプログラムとメモリとが受け持つようにしているが、他のハードウェアや他の回路素子によってそれぞれの機能を実現するようにしてもよい。また、指定情報書込部６、データ種別識別部７、データ種別確認部８、データ記録部９を合わせて制御部ともなる。
【００１９】
データ記録装置１は、その他に、図１に示すように、データ記録再生装置１の筐体にＣＤ挿入口１０を備える。また、図２に示すように、データ記録装置１は、ＣＤ再生機能部１１、チューナ再生機能部１２、ネットワーク通信機能部１３、ＨＤＤ(Hard Disk Drive)１４などを備える。なお、チューナ再生機能部１２、ネットワーク通信機能部１３などに必要となるアンテナやケーブル接続端子などの部材、すなわち主要構成以外の部材の図示は省略している。ＣＤ再生機能部１１は、ＣＤ挿入口１０から挿入されたＣＤを再生してデータを出力する。チューナ再生機能部１２は、ＦＭ(Frequency Modulation)放送等を受信してデータを出力する。ネットワーク通信機能部１３は、インターネットなどのネットワークを介して配信されるデータを受信して出力する。ＨＤＤ１４は、ＣＤ再生機能部１１、チューナ再生機能部１２、ネットワーク通信機能部１３が出力するデータを記録する。なお、ＨＤＤ１４は、記録するデータが有するメタデータをコンテンツデータとして保持することができる。あるいは、ＨＤＤ１４は、記録するデータに基づきメタデータを生成してコンテンツデータとして保持することができる。
【００２０】
ＣＤ再生機能部１１は、ＣＤ再生装置とＣＰＵなどでその機能が達成され、チューナ再生機能部１２は、チューナ装置とＣＰＵなどでその機能が達成される。ネットワーク通信機能部１３は、各装置をつなぐケーブルと通信用装置とＣＰＵなどでその機能が達成される。なお、ＣＰＵの代わりにＤＳＰ(Digital Signal Processor)などを利用することもできる。
【００２１】
ユーザは、指定情報書込部６を操作部５により操作することによって、記録媒体２に対し、指定情報を書き込むことができる。この指定情報は、データが有するメタデータに基づき指定される情報やデータの転送元であるメディア種別に基づき指定される情報である。
【００２２】
例えば、データ記録部９がＣＤ再生機能部１１からデータを読み込み、ＭＰ３(MPEG
Audio Layer-3)等の圧縮データに変換して記録媒体２に記録する際には、指定情報のメディア種別が「ＣＤ」に指定された記録媒体２に記録する。同じく、データ記録部９がチューナ再生機能部１２が受信したデータを読み込み記録媒体２に記録する際には、指定情報のメディア種別が「チューナ」に指定された記録媒体２に記録する。あるいは、データ記録部９がネットワーク通信機能部１３からインターネットを介した音楽配信サービスにより配信されたデータを読み込み記録媒体２に記録する際には、指定情報のメディア種別が「音楽配信サービス」に指定された記録媒体２に記録する。
【００２３】
なお、メディア種別の判定は、データ種別識別部７が行う。例えば、データ種別識別部７は、それぞれがデータ源となる、ＣＤ再生機能部１１、チューナ再生機能部１２、ネットワーク通信機能部１３、ＨＤＤ１４のいずれの出力ポート（図示省略）から出力されたデータであるかを監視することにより、そのデータのメディア種別を判定することができる。
【００２４】
また、記録対象となるデータがメタデータを有する場合には、そのメタデータに基づき指定される情報を指定情報とすることができる。メタデータを有するデータとは、例えば、ＨＤＤ１４のコンテンツデータである。ＨＤＤ１４のコンテンツデータには、ジャンル、年代、アーティスト名などがメタデータとして記録されている。これらのメタデータに基づく指定情報を記録媒体２に書き込むことができる。これにより、記録媒体２は、指定情報と合致しないデータの記録を行わないようにできる。
【００２５】
また、指定情報は単一でなくてもよい。例えば、指定情報のメディア種別が「ＣＤ」であり、かつ、ジャンル指定が「Ｊａｚｚ」であり、かつ、年代指定が「１９６０年代」であるというような組み合わせによる指定も可能である。また、上記の指定情報の組み合わせ例は「ＣＤ」ＡＮＤ「Ｊａｚｚ」ＡＮＤ「１９６０年代」であるが、これを「ＣＤ」ＯＲ「Ｊａｚｚ」ＯＲ「１９６０年代」としてもよい。これらの組み合わせ方法の指定は、ユーザが操作部５から行うものとする。
【００２６】
なお、データ種別識別部７またはデータ記録部９には、図示していないバッファなどの一時記憶部を備える。その理由を以下に説明する。すなわち、データ種別識別部７が記録対象データのデータ種別を識別してからデータ種別確認部８が指定情報とデータ種別とを比較し、その後、データ記録部９が記録媒体２に対して実際にデータの記録を行う。従って、ＣＤ再生機能部１１、チューナ再生機能部１２、ネットワーク通信機能部１３、ＨＤＤ１４から記録対象データの出力が行われてから実際にその記録対象データの記録が開始されるまでにはタイムラグが生じることがある。このタイムラグを吸収するためにはバッファなどの一時記憶部が必要となることが多いためである。しかし、その処理を高速化したり、一旦全て記録し、その後に上述した処理をし、不要のものを削除するなどの方法を採用すれば、データ種別識別部７またはデータ記録部９には一時記憶部は必要とされない。
【００２７】
データ記録再生装置１には、記録媒体２の挿入口３が一つ存在する。ユーザは、最初に挿入口３に挿入した記録媒体２の指定情報と、ユーザが指定した記録対象となるデータのデータ種別とが合致しないときには、異なる記録媒体２を挿入口３に挿入する。このようにして、最終的に、挿入口３に挿入した記録媒体２の指定情報と、ユーザが指定した記録対象となるデータのデータ種別とが合致する記録媒体２を見つけ出す。このときに、このデータ記録再生装置１が従来と異なるのは、ユーザは、表示部４により表示される詳細な情報を確認する必要がないところにある。すなわち、データ種別識別部７およびデータ種別確認部８によって、挿入口３に挿入した記録媒体２の指定情報と、ユーザが指定したデータのデータ種別とが合致するか否かが判断される。このため、このデータ記録再生装置１を使用すると、ユーザによる直接の判断は不必要となり、従来と比較してユーザの利便性が向上する。
【００２８】
ここで、データ種別確認部８の動作を図３のフローチャートを参照して説明する。図３は、データ種別確認部８の動作手順を示すフローチャートである。図３に示すように、データ種別確認部８は、記録媒体２の挿入口３への挿入を確認したら（ステップＳ１）、記録媒体２に書き込まれている指定情報の有無を判定する（ステップＳ２）。データ種別確認部８は、記録媒体２に指定情報が書き込まれている場合は（ステップＳ２のＹｅｓ）、その指定情報を読み取る（ステップＳ３）。また、データ種別確認部８は、データ種別識別部７によって識別された記録対象データのデータ種別を確認する（ステップＳ４）。データ種別確認部８は、ステップＳ３で読み取った指定情報とステップＳ４で確認したデータ種別とを比較する（ステップＳ５）。データ種別確認部８は、ステップＳ３で読み取った指定情報とステップＳ４で確認したデータ種別とが合致したらデータ記録部９に対し、データ記録開始指示を行う（ステップＳ７）。
【００２９】
データ種別確認部８は、ステップＳ３で読み取った指定情報とステップＳ４で確認したデータ種別とが合致しなかったら（ステップＳ６のＮｏ）、表示部５に指定情報不一致を表示する（ステップＳ８）。ユーザは、表示部５に「指定情報不一致」が表示されたら挿入口３から記録媒体２を抜去し、他の記録媒体２を挿入口３に挿入する。
【００３０】
なお、データ種別確認部８は、ステップＳ２の判定において、記録媒体２に指定情報が書き込まれていない場合には（ステップＳ２のＮｏ）、指定情報書込部６に、記録媒体２に対する指定情報の書き込みを指示する（ステップＳ９）。指定情報書込部６は、データ種別確認部８からの指示に従い図４に示す処理を実行する。図４は、指定情報書込部６における指定情報の書込処理の手順を示すフローチャートである。なお、ステップＳ９における指定情報の書込指示によって記録媒体２に指定情報が書き込まれた後は、ステップＳ３の指定情報読取指示に処理が移行する。
【００３１】
指定情報書込部６は、図４に示すように、データ種別識別部７によって記録対象データのデータ種別が識別済みであれば（ステップＳ１０のＹｅｓ）、その識別したデータ種別の指定情報を生成して記録媒体２の所定の記憶領域に書き込む（ステップＳ１１）。また、指定情報書込部６は、データ種別識別部７によって記録対象データのデータ種別が未だ識別されていなければ（ステップＳ１０のＮｏ）、表示部４にデータ種別となる指定情報の入力を促す表示を行う（ステップＳ１２）。ユーザによる指定情報の入力が完了したら（ステップＳ１３のＹｅｓ）、入力された指定情報を記録媒体２の所定の記憶領域に書き込む（ステップＳ１４）。
【００３２】
ここで、ステップＳ２において、指定情報が有りとされる場合（ステップＳ２のＹｅｓ）は、挿入口３に差し込まれた記録媒体２が、過去にこのデータ記録再生装置１（または他の同等の装置）によってデータの記録がなされたものである。また、ステップＳ１０において、記録対象データのデータ種別が識別済み（ステップＳ１０のＹｅｓ）となる場合は、記録対象データを既にデータ記録再生装置１内で再生している場合である。ステップＳ１０からステップＳ１１の処理に当っては、データ記録再生装置１は、図示していないバッファなどの一時記憶部によって記録対象データの一部を短時間記憶しておくことができるものとする。この間に、指定情報書込部６は、データ種別に基づき指定情報を生成して記録媒体２に書き込むことができる。
【００３３】
また、ステップＳ１０において、記録対象データのデータ種別が識別済みではない場合は（ステップＳ１０のＮｏ）、データ記録再生装置１は、記録対象となるデータを再生していない場合である。このような場合には、データ記録再生装置１は、ユーザに対して指定情報の入力を促し、入力された指定情報を記録媒体２に書き込む（ステップＳ１４）。
【００３４】
（第二の実施の形態）
本発明の第二の実施の形態に係るデータ記録再生装置１Ａを図５から図７を参照して説明する。図５は、データ記録再生装置１Ａの外観図である。図６は、データ記録再生装置１Ａのブロック構成図である。データ記録再生装置１Ａは、２つの記録媒体２−１、２−２を挿入する２つの挿入口３−１、３−２を有する。データ記録再生装置１Ａは、データ記録再生装置１とは僅かに異なる。以下では、第一の実施の形態と同一または同種の部分は同一または同一系の符号を用いて説明し、その説明を省略または簡略化し、かつ異なる部分について主として説明する。なお、以下では、記録媒体２−１が挿入口３−１に挿入され、記録媒体２−２が挿入口３−２に挿入されるとして説明するが、これは説明を分り易くするためである。従って、実際には、記録媒体２−１が挿入口３−２に挿入され、記録媒体２−２が挿入口３−１に挿入されることがあってもよい。
【００３５】
データを記録媒体２−１、２−２に記録するデータ記憶装置１Ａは、図６に示すように、２つの記録媒体２−１、２−２に対し、データを記録する手段であるデータ記録部９Ａを備える。また、記録媒体２−１、２−２にそれぞれ記録するデータの種別をそれぞれ指定する指定情報を記録媒体２−１、２−２内にそれぞれ書き込む指定情報書込手段である指定情報書込部６Ａを備える。データ種別識別部７については第一の実施の形態と同様である。また、データ種別確認部８Ａは、第一の実施の形態で説明した機能に加え、指定情報がそれぞれ書き込まれた記録媒体２−１、２−２に対し、記録対象となるデータの種別がいずれの記録媒体２−１、２−２の指定情報と合致するかを検索する記録媒体検索手段に相当する機能を有する。また、データ記録部９Ａは、データ種別確認部８Ａにより検索された記録媒体２−１、２−２に対し、当該記録媒体２−１、２−２が有する指定情報と種別が合致するデータの記録を行う。
【００３６】
次に、データ種別確認部８Ａの動作手順を図７のフローチャートを参照して説明する。図７は、データ種別確認部８Ａの動作手順を示すフローチャートである。図７のフローチャートは、データ記録再生装置１Ａにより記録媒体１−１または記録媒体１−２に記録を開始するところから処理が開始される。データ種別確認部８Ａは、記録媒体２−１の挿入口３−１への挿入を確認する（ステップＳ２０）。この確認の結果、記録媒体２−１が挿入口３−１に挿入されており（ステップＳ２０のＹｅｓ）、その記録媒体２−１に指定情報が有れば（ステップＳ２１のＹｅｓ）、データ種別確認部８Ａは、その指定情報を読み取る（ステップＳ２２）。なお、記録媒体２−１に指定情報が無い場合（ステップＳ２１のＮｏ）の処理（ステップＳ２８）は、図４で既に説明したとおりである。ステップＳ２８における指定情報の書込指示によって記録媒体２−１に指定情報が書き込まれた後は、ステップＳ２２の指定情報読取指示に処理が移行する。
【００３７】
つぎに、データ種別確認部８Ａは、データ種別識別部７によって識別された記録対象データのデータ種別を確認する（ステップＳ２３）。データ種別確認部８Ａは、ステップＳ２２で読み取った指定情報とステップＳ２３で確認したデータ種別とを比較する（ステップＳ２４）。データ種別確認部８Ａは、ステップＳ２２で読み取った記録媒体２−１の指定情報とステップＳ２３で確認したデータ種別とが合致したら（ステップＳ２５のＹｅｓ）、データ記録部９Ａに対し、記録媒体２−１に対するデータ記録開始指示を行う（ステップＳ２６）。また、ステップＳ２８により記録媒体２−１に指定情報が書き込まれた場合にも、データ種別確認部８Ａは、データ記録部９Ａに対し、記録媒体２−１に対するデータ記録開始指示を行う（ステップＳ２６）。データ記録部９Ａによる記録が完了したら（ステップＳ２７のＹｅｓ）、処理を終了する。
【００３８】
また、ステップＳ２５で、ステップＳ２２で読み取った記録媒体２−１の指定情報とステップＳ２３で確認したデータ種別とが合致しなかったら（ステップＳ２５のＮｏ）、データ種別確認部８Ａは、記録媒体２−２の挿入口３−２への挿入を確認する（ステップＳ２９）。この確認の結果、記録媒体２−２が挿入口３−２に挿入されており（ステップＳ２９のＹｅｓ）、その記録媒体２−２に指定情報が有れば（ステップＳ３０のＹｅｓ）、データ種別確認部８Ａは、その指定情報を読み取る（ステップＳ３１）。なお、記録媒体２−１に指定情報が無い場合（ステップＳ３０のＮｏ）の処理（ステップＳ４１）は、図４で既に説明したとおりである。
【００３９】
つぎに、データ種別確認部８Ａは、データ種別識別部７によって識別された記録対象データのデータ種別を確認する（ステップＳ３２）。なお、ステップＳ２３で既に記録対象データのデータ種別が確認済であれば、その確認結果を用いる。データ種別確認部８Ａは、ステップＳ３１で読み取った指定情報とステップＳ３２で確認したデータ種別とを比較する（ステップＳ３３）。データ種別確認部８Ａは、ステップＳ３１で読み取った記録媒体２−２の指定情報とステップＳ３２で確認したデータ種別とが合致したら（ステップＳ３４のＹｅｓ）、データ記録部９Ａに対し、記録媒体２−２に対するデータ記録開始指示を行う（ステップＳ３５）。また、ステップＳ４１により記録媒体２−２に指定情報が書き込まれた場合にも、データ種別確認部８Ａは、データ記録部９Ａに対し、記録媒体２−２に対するデータ記録開始指示を行う（ステップＳ３５）。データ記録部９Ａによる記録が完了したら（ステップＳ２７のＹｅｓ）、処理を終了する。
【００４０】
なお、記録媒体２−１が挿入口３−１に挿入されておらず、記録媒体２−２のみが挿入口３−１に挿入されている場合も上述したステップＳ２９〜ステップＳ３５〜ステップＳ２７の処理が行われる。また、記録媒体２−１および記録媒体２−２のいずれもが挿入口３−１および挿入口３−２に挿入されていなければ（ステップＳ２９のＮｏ）、処理を終了する。
【００４１】
また、記録媒体２−１および記録媒体２−２の双方の指定情報が共に記録対象データのデータ種別と合致しないとき（ステップＳ３４のＮｏ）、あるいは、記録媒体２−２しか挿入されておらず、その記録媒体２−２の指定情報が記録対象データのデータ種別と合致しないとき（ステップＳ３４のＮｏ）は、データ種別確認部８Ａは、記録媒体２−１または記録媒体２−２の交換を促す表示を表示部４に行う（ステップＳ３６）。この表示の結果、記録媒体２−１または記録媒体２−２の交換が行われたら（ステップＳ３７のＹｅｓ）、ステップＳ２０に戻る。また、この表示にも係わらず、記録媒体２−１または記録媒体２−２の交換が行われなかったら（ステップＳ３７のＮｏ）、記録対象データと合致する指定情報に変更するか否かを問う表示を表示部４に行う（ステップＳ３８）。なお、このとき、記録媒体２−１または記録媒体２−２の交換を促す表示が行われてから、この表示にも係わらず、記録媒体２−１または記録媒体２−２の交換が行われないと判断するまでには所定の判断時間が必要である。この判断時間は、例えば、５秒間くらいにする。あるいは、記録媒体２−１または記録媒体２−２の交換を促す表示と、記録対象データと合致する指定情報に変更するか否かを問う表示とを同時に表示部４に行い、ユーザにいずれかを選択させるようにしてもよい。
【００４２】
ステップＳ３８で、記録対象データと合致する指定情報に変更するか否かを問う表示を表示部４に行った結果、操作部５からユーザの変更指示が有れば（ステップＳ３９のＹｅｓ）、記録対象データと合致する指定情報に変更する（ステップＳ４０）。これにより処理はステップＳ２０に戻る。なお、ユーザが記録媒体２−１または２−２の交換もせず、指定情報の変更もしない場合には、本フローチャートではステップＳ３７〜ステップＳ３９の間でフローのループが形成されてしまう。よって、このような場合には、所定時間経過後に処理を停止させるようにしてもよい。
【００４３】
次に、データ種別確認部８Ａの他の動作手順を図８のフローチャートを参照して説明する。図８は、データ種別確認部８Ａの動作手順を示すフローチャートである。図７のフローチャートとの差異は、図８のフローチャートでは、記録媒体２−１および記録媒体２−２に同じデータを記録する処理が含まれているところである。なお、ステップＳ５０−１、Ｓ５０−２、ステップＳ５１−１、Ｓ５１−２、ステップＳ５２−１、Ｓ５２−２、ステップＳ５５−１、Ｓ５５−２については、並列処理であるが、説明を簡単化するために、分けずに説明する。
【００４４】
図８に示すように、データ種別確認部８Ａは、記録媒体２−１、２−２の挿入口３−１、３−２への挿入を確認したら（ステップＳ５０−１、Ｓ５０−２）、記録媒体２−１、２−２に書き込まれている指定情報の有無を判定する（ステップＳ５１−１、Ｓ５１−２）。データ種別確認部８Ａは、記録媒体２−１、２−２に指定情報が書き込まれている場合は（ステップＳ５１−１、Ｓ５１−２のＹｅｓ）、その指定情報を読み取る（ステップＳ５２−１、Ｓ５２−２）。また、データ種別確認部８Ａは、記録媒体２−１、２−２に指定情報が書き込まれていない場合は（ステップＳ５１−１、Ｓ５１−２のＮｏ）、指定情報書込部６Ａに書込処理を指示する（ステップＳ６５−１、Ｓ６５−２）。なお、この書込処理については、図４に示したフローチャートにより既に説明したとおりである。ステップＳ６５−１、Ｓ６５−２における指定情報の書込指示によって記録媒体２−１、記録媒体２−２に指定情報が書き込まれた後は、ステップＳ５６、Ｓ６０の記録媒体２−１、記録媒体２−２に対するデータ記録開始指示に処理が移行する。
【００４５】
次に、データ種別確認部８Ａは、データ種別識別部７によって識別された記録対象データのデータ種別を確認する（ステップＳ５３）。データ種別確認部８Ａは、ステップＳ５３で読み取った指定情報とステップＳ５２−１、Ｓ５２−２で確認したデータ種別とを比較する（ステップＳ５４）。データ種別確認部８Ａは、ステップＳ５２−１で読み取った記録媒体２−１の指定情報とステップＳ５４で確認したデータ種別とが合致したら（ステップＳ５５のＹｅｓ）、データ記録部９Ａに対し、記録媒体２−１に対するデータ記録開始指示を行う（ステップＳ５６）。さらに、データ種別確認部８Ａは、ステップＳ５２−２で読み取った記録媒体２−２の指定情報とステップＳ５４で確認したデータ種別とが合致したら（ステップＳ５７のＹｅｓ）、データ記録部９Ａに対し、記録媒体２−２に対するデータ記録開始指示を行う（ステップＳ５８）。これにより、記録媒体２−１、２−２の双方共に同じデータが記録される。なお、このときに「１：記録媒体２−１、２−２の双方に同じデータを記録する」あるいは「２：記録媒体２−１のみにデータを記録する」あるいは「３：記録媒体２−２のみにデータを記録する」の３つのケースを選択する選択スイッチを操作部５に設けてもよい。これにより、ユーザは、上記３つのケースのうち、都合の良いケースを選択可能となる。
【００４６】
また、データ種別確認部８Ａは、ステップＳ５２−１で読み取った記録媒体２−１の指定情報とステップＳ５４で確認したデータ種別とが合致せず（ステップＳ５５のＮｏ）、ステップＳ５２−２で読み取った記録媒体２−２の指定情報とステップＳ５４で確認したデータ種別とが合致したら（ステップＳ５９のＹｅｓ）、データ記録部９Ａに対し、記録媒体２−２に対するデータ記録開始を指示する（ステップＳ６０）。
【００４７】
また、データ種別確認部８Ａは、ステップＳ５２−１で読み取った記録媒体２−１の指定情報とステップＳ５４で確認したデータ種別とが合致せず（ステップＳ５５のＮｏ）、さらに、ステップＳ５２−２で読み取った記録媒体２−２の指定情報とステップＳ５４で確認したデータ種別とが合致しないときには（ステップＳ５９のＮｏ）、記録媒体交換あるいは指定情報変更を促す表示を表示部４に行う（ステップＳ６１）。この表示の結果、記録媒体交換が行われたら（ステップＳ６２のＹｅｓ）、ステップＳ５１−１、Ｓ５１−２へ戻る。また、この表示の結果、記録媒体の交換が行われず（ステップＳ６２のＮｏ）、指定情報変更入力が有れば（ステップＳ６３のＹｅｓ）、指定情報書込部６Ａに対し、指定情報変更指示を行い（ステップＳ６４）、ステップＳ５２−１、５２−２へ戻る。なお、ユーザが記録媒体２−１または２−２の交換もせず、指定情報の変更もしない場合には、本フローチャートではステップＳ６１〜ステップＳ６３の間でフローのループが形成されてしまう。よって、このような場合には、所定時間経過後に処理を停止させるようにしてもよい。
【００４８】
（プログラムの実施例）
情報処理装置にインストールすることにより、その情報処理装置に、本発明の実施の形態に係るデータ記録再生装置１、１Ａの機能を実現するプログラムの実施例を説明する。ここで、情報処理装置とは、例えば、汎用の小型コンピュータ装置である。
【００４９】
本実施例のプログラムは記録媒体に記録されることにより、情報処理装置は、この記録媒体を用いて本実施例のプログラムをインストールすることができる。あるいは、本実施例のプログラムを保持するサーバからネットワークを介して直接、情報処理装置に本実施例のプログラムをインストールすることもできる。
【００５０】
これにより、情報処理装置を用いて、データ記録再生装置１、１Ａの指定情報書込部６、６Ａ、データ種別識別部７、７Ａ、データ種別確認部８、８Ａ、データ記録部９、９Ａの機能を実現することができる。なお、これ以外の機能についてもソフトウェアによって実現可能な機能については、本実施例のプログラムによって実現してもよい。
【００５１】
なお、本実施例のプログラムは、情報処理装置によって直接実行可能なものだけでなく、ハードディスクなどにインストールすることによって実行可能となるものも含む。また、圧縮されたり、暗号化されたりしたものも含む。
【００５２】
（その他の実施の形態）
本発明の実施の形態は、本発明の要旨を逸脱しない限り、様々に変更が可能である。第二の実施の形態では、２つの挿入口３−１、３−２を有するデータ記録再生装置１Ａを説明したが、挿入口の個数は３つ以上であってもよい。また、データ記録再生装置１、１Ａとして説明したが、データ再生部分無くしてデータ記録装置としてもよい。
【００５３】
また、２つの挿入口３−１、３−２を有するデータ記録再生装置１Ａは、記録媒体２−１、２−２の相互間において、データの複写または移動を行うことができるようにしてもよい。すなわち、一方の記録媒体（例えば、記録媒体２−１）のデータをＨＤＤ１４に複写または移動する。この複写または移動を行う機能については上記実施の形態において説明していない。しかしながら、このような機能は、広く知られている機能であるので説明は省略する。このように、記録媒体２−１のデータをＨＤＤ１４に複写または移動した後、ＨＤＤ１４から他方の記録媒体２−２に書き込む。これにより、記録媒体２−１、２−２の相互間において、データの複写または移動を行うことができる。ただし、この際にも双方の記録媒体２−１、２−２の指定情報が合致していなければ、記録媒体２−１、２−２の相互間におけるデータの複写または移動はできない。これは３つ以上の挿入口３−１〜３−ｉ（ｉは３以上の整数）を有するデータ記録再生装置１Ｂ（図示せず）においても同様である。
【００５４】
また、ＣＤ再生機能部１１、チューナ再生機能部１２、ネットワーク通信機能部１３、ＨＤＤ１４を内蔵する例を説明したが、これらを外部接続機器としてもよい。また、マイクロフォンなどを接続する端子を設けてもよい。また、記録対象データの転送元のメディア種別は、ＣＤ、チューナ、ＨＤＤについて説明したが、それ以外にもあらゆるメディア種別に対応できる。また、記録対象データは、楽曲データ、映像データその他のあらゆるデータに対応できる。
【００５５】
また、非ディスク記録媒体としてカード状の記録媒体２、２−１、２−２を例示したが、本発明の適用範囲をカード状の記録媒体に限定するものではない。例えば、ＵＳＢメモリなどのカード状ではないリムーバブル記録媒体であってもよい。
【００５６】
次に、本発明の第二の実施の形態に係るデータ記録再生装置１Ａの具体的な構成例を図９に示す。図９は、データ記録再生装置１Ａの具体的な構成例を示す図である。図９において実線の矢印は、電気配線等による物理的接続の様子を示す。また、破線の矢印は、制御信号等による論理的接続の様子を示す。また、二点鎖線によりネットワーク通信機能部１３およびその論理的接続の様子を示す。図９に示すように、データ記録再生装置１Ａは、指定情報書込部６Ａ、データ種別識別部７、データ種別確認部８Ａ、データ記録部９Ａの機能を含むシステムマイコン１５を備える。記録媒体２−１および記録媒体２−２はメモリカードである。さらに、記録媒体２−３としてＵＳＢメモリを備える。また、挿入口３−１および挿入口３−２はカードスロットである。そして、挿入口３−３は、ＵＳＢポートである。また、ＣＤ再生機能部１１はＣＤメカ部１６に含まれる。チューナ再生機能部１２は、受信部１７に含まれる。ＨＤＤ１４は記憶部１８に含まれる。さらに、ネットワーク通信機能部１３を備えてもよい。なお、ネットワーク通信機能部１３は、これ自体がネットワークと通信を行う機能を有していなくてもＰＣ（パーソナル・コンピュータ）等のネットワークとの通信機能を有する装置と接続するためのインタフェース機能であってもよい。
【００５７】
その他の構成要素としては、ＡＵＸやマイクロフォン等のアナログ入力を行う入力部１９、スピーカ出力端子、ヘッドホン出力端子、外部アナログ出力端子などを備える出力部２０を備える。また、内部回路の構成要素としては、エンコーダおよびデコーダの機能を有するＤＳＰ２１、デジタル／アナログ変換器２２、アナログ／デジタル変換器２３、出力部２０への出力を増幅する増幅器２４、ＣＤメカ部１６、受信部１７、入力部１９の出力を切替えるセレクタ２５を備えている。
【００５８】
また、指定情報としては、ジャンル、アーティスト名、年代、メディア種別の一つまたは複数のものを示したが、データ転送元の入力セレクタ名やコンテンツ作成年代など、データを特定し得る情報であれば、その他のあらゆる情報の一つまたは複数を指定情報とすることができる。
【産業上の利用可能性】
【００５９】
本発明は、非ディスク記録媒体を使用するあらゆる装置に利用することができる。
【図面の簡単な説明】
【００６０】
【図１】本発明の第一の実施の形態に係るデータ記録再生装置の外観図である。
【図２】図１に示すデータ記録再生装置のブロック構成図である。
【図３】図２に示すデータ種別確認部の動作手順を示すフローチャートである。
【図４】図２に示す指定情報書込部の動作手順を示すフローチャートである。
【図５】本発明の第二の実施の形態に係るデータ記録再生装置の外観図である。
【図６】図５に示すデータ記録再生装置のブロック構成図である。
【図７】図６に示すデータ種別確認部の動作手順を示すフローチャートである。
【図８】図６に示すデータ種別確認部の動作手順の他の例を示すフローチャートである。
【図９】本発明の第二の実施の形態に係るデータ記録再生装置の具体的な構成例を示す図である。
【符号の説明】
【００６１】
１、１Ａ  データ記録再生装置、２、２−１、２−２、２−３  記録媒体、３、３−１、３−２、３−３  挿入口、４  表示部、５  操作部、６、６Ａ  指定情報書込部（指定情報書込手段、制御部）、７、７Ａ  データ種別識別部（データ種別識別手段、制御部）、８、８Ａ  データ種別確認部（データ種別確認手段、記録媒体検索手段、制御部）、９、９Ａ  データ記録部（データ記録手段、制御部）、１０  ＣＤ挿入口、１１  ＣＤ再生機能部（他のデータ源）、１２  チューナ再生機能部（他のデータ源）、１３  ネットワーク通信機能部（他のデータ源）、１４  ＨＤＤ（他のデータ源）、１５  システムマイコン、１６  ＣＤメカ部、１７  受信部、１８  記憶部、１９  入力部、２０  出力部、２１  ＤＳＰ、２２  デジタル／アナログ変換器、２３  アナログ／デジタル変換器、２４  増幅部、２５  セレクタ
【図１】
2009301617.tif 000003
【図２】
2009301617.tif 000004
【図３】
2009301617.tif 000005
【図４】
2009301617.tif 000006
【図５】
2009301617.tif 000007
【図６】
2009301617.tif 000008
【図７】
2009301617.tif 000009
【図８】
2009301617.tif 000010
【図９】
2009301617.tif 000011